(57)【要約】【課題】分草杆の遠隔操作性を向上する。【解決手段】操縦部６を備えた走行機体の前部に刈取部３を昇降自在に設け、この刈取部３に横外側に張り出した分草作用姿勢と内方側に起立引退した格納姿勢とに揺動切り換え自在な分草杆７を取り付け、この分草杆７にワイヤを介して連係していて分草杆７の姿勢を遠隔操作で切り換える操作具８を走行機体２の操縦部６に設置する。【選択図】        図２
2004194622.tif 000002
【特許請求の範囲】
【請求項１】
操縦部を備えた走行機体の前部に刈取部を昇降自在に設け、この刈取部に横外側に張り出した分草作用姿勢と内方側に起立引退した格納姿勢とに揺動切り換え自在な分草杆を取り付け、この分草杆にワイヤを介して連係していて分草杆の姿勢を遠隔操作で切り換える操作具を設けてあるコンバインであって、前記操作具を走行機体の操縦部に設置してあるコンバイン。
【請求項２】
前記操作具を摩擦保持することで分草杆を各姿勢に保持するようにしてある請求項１記載のコンバイン。
【発明の詳細な説明】
【０００１】
【発明の属する技術分野】
本発明は、操縦部を備えた走行機体の前部に刈取部を昇降自在に設け、この刈取部に横外側に張り出した分草作用姿勢と内方側に起立引退した格納姿勢とに揺動切り換え自在な分草杆を取り付け、この分草杆にワイヤを介して連係していて分草杆の姿勢を遠隔操作で切り換える操作具を設けてあるコンバインに関する。
【０００２】
【従来の技術】
この種のコンバインとして従来では、操作具を刈取部の引き起こし装置の上部に装着したものが知られている（例えば、特許文献１参照。）。
【０００３】
【特許文献１】
特開平７−８０８９号公報
【０００４】
【発明が解決しようとする課題】
しかし、上記従来の技術によるときは、操作具が操縦部に対して前方に比較的遠く隔てた箇所に位置するから、操縦部から操作具を操作することが難しく、かつ、刈取部が刈り高さ調整のために上下に作動することで操作具も上下に位置変更するから、分草杆の遠隔操作性が比較的悪かった。
【０００５】
本発明の目的は、分草杆の遠隔操作性を向上する点にある。
【０００６】
【課題を解決するための手段】
請求項１に係る本発明によるコンバインの特徴・作用・効果は次の通りである。
【０００７】
〔特徴〕
操縦部を備えた走行機体の前部に刈取部を昇降自在に設け、この刈取部に横外側に張り出した分草作用姿勢と内方側に起立引退した格納姿勢とに揺動切り換え自在な分草杆を取り付け、この分草杆にワイヤを介して連係していて分草杆の姿勢を遠隔操作で切り換える操作具を設けてあるコンバインであって、前記操作具を走行機体の操縦部に設置してある点にある。
【０００８】
〔作用〕
分草杆にワイヤを介して連係する操作具を、走行機体に対して上下に位置変更する刈取部ではなく走行機体に対して位置固定の操縦部に設置してあるから、操縦者の近くに上下に動かせることなく操作具を設置することができる。
【０００９】
〔効果〕
従って、操縦部での操作具の操作を良好に行えて分草杆の姿勢切り換えの遠隔操作性を向上することができるようになった。
【００１０】
請求項２に係る本発明によるコンバインの特徴・作用・効果は次の通りである。
【００１１】
〔特徴〕
上記請求項１に係る本発明によるコンバインにおいて、前記操作具を摩擦保持することで分草杆を各姿勢に保持するようにしてある点にある。
【００１２】
〔作用〕
分草杆を各姿勢で保持するに操作具に直接に摩擦力を作用させるようにしてあるから、摩擦力による操作抵抗が、例えば分草杆に摩擦力を作用させて分草杆を各姿勢に保持する場合に比較して操縦者に直接的に作用し、操縦者に対してダイレクトに操作具を操作しているという感覚を付与することができる。
【００１３】
〔効果〕
従って、操作感覚面で操作性を向上できるようになった。
【００１４】
【発明の実施の形態】
コンバインは、図１、図２に示すように、左右のクローラ走行装置１を備えた走行機体２の前部に、植立穀稈を引き起こした後刈り取って後方に搬送する刈取部３を着脱自在にかつ装着状態で昇降自在に連結し、前記走行機体２に、前記刈取部３からの穀稈を脱穀処理する脱穀装置４と脱穀穀粒を貯溜するタンク５と搭乗型の操縦部６とを、脱穀装置４の左右横脇にタンク５が配置しかつタンク５の前部に操縦部６が配置する状態で搭載して構成されている。
【００１５】
前記刈取部３には、図３にも示すように、前後向き軸芯ｘ周りでの揺動により、横外側に張り出した分草作用姿勢と内方側に起立引退した格納姿勢とに切り換え自在な分草杆７が取り付けられている。この分草杆７を刈取部３に取り付ける手段は、分草杆７の先端部と前後中間に連設したアーム部７Ａの先端部とを刈取部３のフレーム３Ａに前後向き軸芯ｘ周りで揺動自在に取り付ける手段である。
【００１６】
前記操縦部６は、操縦座席６Ａとこれの前方に位置する前部操縦塔６Ｂと前記操縦座席６Ａの左右横一側に位置する側部操縦塔６Ｃとを備えている。
【００１７】
そして、前記分草杆７を遠隔操作で姿勢切り換えする操作装置は、図４、図６に示すように、前記操縦部６の側部操縦塔６Ｃに揺動自在な操作レバー８を設け、この操作レバー８の分草位置への揺動によって前記分草杆７を分草作用位置に揺動位置させる第１ワイヤ９ａと操作レバー８の格納位置への揺動によって前記分草杆７を格納姿勢に揺動位置させる第２ワイヤ９ｂとを設け、前記操作レバー８に作用してこの操作レバー８を摩擦で位置保持することにより前記分草杆７を前記の各姿勢に保持する摩擦保持手段を設けて構成されている。前記第１ワイヤ９ａ及び第２ワイヤ９ｂはともにレリーズワイヤであッて、いずれもワイヤ９の一例である。
【００１８】
前記操作レバー８と各ワイヤ９ａ，９ｂとの連結手段は、図５及び図７にも示すように、操作レバー８のうち前記ワイヤ９ａ，９ｂとの連結部８Ａをレバー本体８Ｂに対して取り付けピン１１及び抜け止めピン１４を介して着脱自在に取り付け、前記連結部８Ａのレバー本体８Ｂに対する装着姿勢を設定姿勢に規制する規制手段として前記取り付けピン１１を二本設け、前記ワイヤ９ａ，９ｂに対する受け部材１２を前記操縦部６の固定部６ａに対して着脱自在に複数のボルト１３を介して設定姿勢で装着させて構成されている。前記取り付けピン１１はレバー本体Ｂに固着されており、抜け止めピン１４は、取り付けピン１１に挿通するとともにその挿通状態を弾性的に自己保持することで連結部８Ａの取り付けピン１１からの抜け離脱を阻止し、取り付けピン１１から離脱することで連結部８Ａの離脱を許容するものである。
【００１９】
前記摩擦保持手段は、操作レバー８の揺動軸芯部に作用するものであって、図７にも示すように、ボルト利用のレバー取り付け軸２０に二枚の摩擦板２１で操作レバー８のレバー本体８Ｂを挟む状態でこれらをセットし、第１座金２２・バネ座金２３・第２座金２４をセットし、その状態でナット２５を締め込むことで構成されている。２６はロックナットである。
【００２０】
前記受け部材１２は、複数のボルト１３で固定部６ａに装着されることで固定部６ａに対する姿勢を規制されるものである。
【００２１】
図８に示すように、前記分草杆７の揺動支軸を兼用する取り付けボルト１５に螺合させたナット１６は通常、分草杆７、つまりは、アーム部７Ａの脱落を防止する範囲で緩められており、このボルト１５及びナット１６によるアーム部７Ａの取り付け部には、ナット１６の締め付けでアーム部７Ａに摩擦による揺動抵抗を付与し、ナット１６の緩めでその摩擦付与を解除するバネ座金１７ａと座金１７ｂとが設置されている。つまり、分草杆７の取り付け部には、分草杆７を各姿勢に摩擦保持する状態と保持解除状態とに切り換え自在な予備摩擦姿勢保持手段が設けられている。１６ａはロックナットである。
【００２２】
上記の構成によれば、操作レバー８が刈取部３の昇降にかかわらず常に、操縦者近くの定位置に位置するから、操作レバー８を操作しての分草杆７の遠隔姿勢切り換えを操作性良く行うことができる。
しかも、刈取部３を走行機体２から外す際、ワイヤ９ａ，９ｂを外す必要があるが、上記の構成では、受け部材１２を固定部６ａから外し、かつ、連結部８Ａをレバー本体８Ｂから外すことでこのワイヤ９ａ，９ｂの端部をアッセンブルとして取り扱えるから、以後においてワイヤ９ａ，９ｂを連結する際、連結部８Ａをレバー本体８Ｂに設定姿勢で取り付け、受け部材１２を固定部６ａに設定姿勢で取り付けることにより、特別な調整作業を要することなく所定の連係状態に操作レバー８と分草杆７とを作業性良く連動させることができる。
その上、操作レバー８に対する摩擦保持に加えて予備摩擦保持手段による分草杆の直接的な姿勢保持を行うことができるようになっているから、例えば、操作レバー８に対する摩擦保持に機能不全が発生したり、ワイヤ９ａ，９ｂの切断などの不測の事態が発生しても分草杆７を確実に各姿勢で摩擦保持することができる。
【００２３】
〔別実施形態〕
なお、上記実施の形態では、ワイヤ９として二本のレリーズワイヤ９ａ，９ｂを設けたが、ワイヤ９は、１本のプッシュプルワイヤであっても良い。、つまり、ワイヤ９の数は不問である。
【図面の簡単な説明】
【図１】コンバインの側面図
【図２】コンバインの平面図
【図３】コンバイン要部の正面図
【図４】操作レバーと分草杆との連動系統図
【図５】連動解除状態の連動系統図
【図６】操作レバー取り付け部の断面図
【図７】操作レバー取り付け部の分解斜視図
【図８】分草杆取り付け部の断面図
【符号の説明】
６      操縦部
２      走行機体
３      刈取部
７      分草杆
９      ワイヤ
８      操作具
【図１】
2004194622.tif 000003
【図２】
2004194622.tif 000004
【図３】
2004194622.tif 000005
【図４】
2004194622.tif 000006
【図５】
2004194622.tif 000007
【図６】
2004194622.tif 000008
【図７】
2004194622.tif 000009
【図８】
2004194622.tif 000010